【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
複数の発注者端末と複数の受注者端末とにネットワークを介して通信可能に接続されたサーバと、各種情報を記憶する記憶手段と、を有する試作品受発注仲介システムであって、
前記記憶手段が、
各受注者について、受注者基本情報、受注者の対応可能な分野を示す受注者分野情報と試作依頼を受注可能な程度を示す混雑情報とを含む複数の受注者情報項目から成る受注者情報、及び、該受注者情報項目毎に設定された項目係数を記憶しており、
前記サーバが、
a)前記記憶手段に保存されている受注者情報を、前記受注者端末から送信される更新用の受注者情報項目に基づき更新する受注者情報処理手段と、
b)前記発注者端末から送信される、少なくとも試作依頼を希望する試作品の分野を示す依頼品分野情報と、該試作品の希望納期を示す希望納期情報とを含む発注依頼項目から成る発注依頼情報に基づき発注依頼を受け付け、受け付けた発注依頼の発注依頼情報を前記記憶手段に記憶する発注受付手段と、
c)前記受注者情報と前記発注依頼情報とに基づき、前記項目係数を用いて該発注依頼に関して各受注者の評点を算出する評点算出手段と、
d)前記評点の順に受注者が並べられた受注者リストを作成し、該受注者リストを前記発注依頼情報を送信した発注者端末に提示するリスト提示手段と、
を備えることを特徴とする試作品受発注仲介システム。
【請求項２】
前記サーバが更に、
e)前記受注者リストの提示に基づき前記発注者端末から送信される、受注者を指定する受注者指定情報に基づき、前記発注依頼情報を含む正式発注依頼情報を該指定された受注者の受注者端末に送信する試作発注処理手段
を備えることを特徴とする請求項１に記載の試作品受発注仲介システム。
【請求項３】
前記記憶手段に保存されている受注者情報の受注者情報項目が受注者評価情報を含み、
前記サーバが更に、
f)前記発注者端末に対して、受注者の評価を入力可能な受注者評価画面を提示する評価入力画面提示手段と、
g)前記発注者端末から送信される受注者評価情報に基づき、前記記憶手段に記憶されている該受注者に関する受注者評価情報を更新する受注者評価処理手段と、
を備えることを特徴とする請求項１又は２に記載の試作品受発注仲介システム。
【請求項４】
前記記憶手段に保存されている受注者情報の受注者情報項目が、グループ所属情報を含むことを特徴とする請求項１〜３のいずれかに記載の試作品受発注仲介システム。
【請求項５】
請求項１〜４のいずれかに記載の試作品受発注仲介システムにおいて、前記ネットワークに更にアドバイザ端末が通信可能に接続されており、
前記サーバのリスト提示手段が、前記受注者リストを該アドバイザ端末に提示し、該アドバイザ端末において指定された一又は複数の受注者に基づき新たな受注者リストを作成し、該受注者リストを前記発注依頼情報を送信した発注者端末に提示する
ことを特徴とする試作品受発注仲介システム。
【請求項６】
前記サーバのリスト提示手段が、作成した受注者リストを前記発注依頼情報を送信した発注者端末に対応するメールアドレスに宛てて電子メールで送信することを特徴とする請求項１〜５のいずれかに記載の試作品受発注仲介システム。
【請求項７】
複数の発注者端末と複数の受注者端末とにネットワークを介して通信可能に接続されたサーバと、各種情報を記憶する記憶手段と、を有する試作品受発注仲介システムに利用するものであって、
前記サーバを
a)前記記憶手段に保存されている受注者情報を、前記受注者端末から送信される更新用の受注者情報項目に基づき更新する受注者情報処理手段と、
b)前記発注者端末から送信される、少なくとも試作依頼を希望する試作品の分野を示す依頼品分野情報と、該試作品の希望納期を示す希望納期情報とを含む発注依頼項目から成る発注依頼情報に基づき発注依頼を受け付け、受け付けた発注依頼の発注依頼情報を前記記憶手段に記憶する発注受付手段と、
c)前記受注者情報と前記発注依頼情報とに基づき、前記項目係数を用いて該発注依頼に関して各受注者の評点を算出する評点算出手段と、
d)前記評点の順に受注者が並べられた受注者リストを作成し、該受注者リストを前記発注依頼情報を送信した発注者端末に提示する又は該発注者端末に対応するメールアドレスに宛てて電子メールで送信するリスト提示手段と、
して機能させるための試作品受発注仲介プログラム。
【請求項８】
複数の発注者端末と複数の受注者端末とアドバイザ端末とにネットワークを介して通信可能に接続されたサーバと、各種情報を記憶する記憶手段と、を有する試作品受発注仲介システムに利用するものであって、
前記サーバを
a)前記記憶手段に保存されている受注者情報を、前記受注者端末から送信される更新用の受注者情報項目に基づき更新する受注者情報処理手段と、
b)前記発注者端末から送信される、少なくとも試作依頼を希望する試作品の分野を示す依頼品分野情報と、該試作品の希望納期を示す希望納期情報とを含む発注依頼項目から成る発注依頼情報に基づき発注依頼を受け付け、受け付けた発注依頼の発注依頼情報を前記記憶手段に記憶する発注受付手段と、
c)前記受注者情報と前記発注依頼情報とに基づき、前記項目係数を用いて該発注依頼に関して各受注者の評点を算出する評点算出手段と、
d)前記評点の順に受注者が並べられた受注者リストを作成し、該受注者リストを前記アドバイザ端末に提示し、該アドバイザ端末において指定された一又は複数の受注者に基づき新たな受注者リストを作成し、該受注者リストを前記発注依頼情報を送信した発注者端末に提示する又は該発注者端末に対応するメールアドレスに宛てて電子メールで送信するリスト提示手段と、
して機能させるための試作品受発注仲介プログラム。
【請求項９】
サーバに対して発注者端末と受注者端末とがネットワークを介して通信可能な試作品受発注仲介システムに利用するものであって、請求項７に記載の試作品受発注仲介プログラムを記録した、前記サーバによって読み取り可能な記録媒体。
【請求項１０】
サーバに対して発注者端末と受注者端末とアドバイザ端末とがネットワークを介して通信可能な試作品受発注仲介システムに利用するものであって、請求項８に記載の試作品受発注仲介プログラムを記録した、前記サーバによって読み取り可能な記録媒体。
【請求項１１】
複数の発注者端末と複数の受注者端末とにネットワークを介して通信可能に接続されたサーバと、各種情報を記憶する記憶手段と、を有する製品製造受発注仲介システムであって、
前記記憶手段が、
各受注者について、受注者基本情報、受注者の対応可能な分野を示す受注者分野情報と製造依頼を受注可能な程度を示す混雑情報とを含む複数の受注者情報項目から成る受注者情報、及び、該受注者情報項目毎に設定された項目係数を記憶しており、
前記サーバが、
前記記憶手段に保存されている受注者情報を、前記受注者端末から送信される更新用の受注者情報項目に基づき更新する受注者情報処理手段と、
前記発注者端末から送信される、少なくとも製造依頼を希望する製造物の分野を示す依頼品分野情報と、該製品の希望納期を示す希望納期情報とを含む発注依頼項目から成る発注依頼情報に基づき発注依頼を受け付け、受け付けた発注依頼の発注依頼情報を前記記憶手段に記憶する発注受付手段と、
前記受注者情報と前記発注依頼情報とに基づき、前記項目係数を用いて該発注依頼に関して各受注者の評点を算出する評点算出手段と、
前記評点の順に受注者が並べられた受注者リストを作成し、該受注者リストを前記発注依頼情報を送信した発注者端末に提示するリスト提示手段と、
を備えることを特徴とする製品製造受発注仲介システム。
【手続補正２】
【補正対象書類名】明細書
【補正対象項目名】００２０
【補正方法】変更
【補正の内容】
【００２０】
サーバ１は、ＣＰＵ２やメモリ及び記憶部１０が相互に接続されることによって構成されている。また、サーバ１はこれらの他に、ＣＲＴ（Cathode Ray Tube）ディスプレイや液晶ディスプレイから成る表示部、文字・数字入力キー及び各種機能キーなどを備えているキーボードや、ポインティングデバイスであるマウスから成る入力部などを更に備えていてもよい。記憶部１０はプログラムやデータなどが予め記憶されている磁気記録媒体、光学記録媒体、半導体メモリなどから成る記憶媒体を備えている。この記憶媒体は、記憶部１０に対して固定的に設けられたものであってもよいし、着脱自在であってもよい。また、記憶部１０には、ＯＳ（Operating System）１１、試作品受発注仲介プログラム１２が保存されている。さらに、サーバ１は、受注者情報処理手段１３、発注受付手段１４、評点算出手段１５、リスト提示手段１６を備えているが、これらは通常は、試作品受発注仲介プログラム１２がＣＰＵ２によって実行されることによりソフトウェア的に実現される機能である。
【手続補正３】
【補正対象書類名】明細書
【補正対象項目名】００２４
【補正方法】変更
【補正の内容】
【００２４】
本発明に係る試作品受発注仲介システムにおいては、受注者情報項目は受注者分野情報及び混雑情報に限られるものではなく、自由に設定することができる。例えば、過去の発注者によって付与された評価の集計結果である受注者評価情報を受注者情報項目として含めることもできる。
また、グループ受注を可能とする受発注形態に対応するシステムでは、その受注者がどのグループに所属しているのか、又は（グループに全く所属していないのか）を示すグループ所属情報を受注者情報項目として含めるのがよい。
本発明の試作品受発注仲介システムでは、受注者情報項目を適切に設定することにより、後述する受注者リストにおける受注者の順位が変化するため（つまり、受注者の評点が変化するため）、受注者の評価を多面的に行うことができるようになる。
【手続補正４】
【補正対象書類名】明細書
【補正対象項目名】００２６
【補正方法】変更
【補正の内容】
【００２６】
以下、本発明の試作品受発注仲介を利用する場合の具体動作の例について説明する。
まず、サーバ１においてＣＰＵ２が本発明の試作品受発注仲介プログラム１２を実行すると、サーバ１はインターネット等のデータ通信ネットワークＮに接続されているコンピュータからアクセス可能なウェブサーバとして機能する。すなわち、サーバ１は、記憶部１０や記憶手段５といった所定の記憶領域にHTML文書や画像等（以下、「ページデータ」とする）を外部からの求めに応じて公開可能に保存する。
また、以下において、各種端末から本発明に係るシステムのウェブページを開く（ウェブページを表示させる）という表現は、端末から送信される所定のリクエストに基づきサーバ１のＣＰＵ２がページデータを動的に生成し、そのページデータを端末の表示部に表示させること、又は、ＣＰＵ２が所定の記憶領域に予め保存されているページデータを端末に送信して、端末の表示部に表示させることのいずれかの動作であるものとする。